(57)【要約】【課題】小型化が阻害されることなく、光学装置を十分に冷却可能なプロジェクタを提供すること。【解決手段】光源から射出された光束を画像情報に応じて変調して光学像を形成する光変調装置を有する光学装置と、外部から冷却空気を導入するとを備えたプロジェクタは、一方の開口部５１１Ｒ，５１１Ｇ，５１１Ｂがファンに対向配置され、他方の開口部５１２Ｒ，５１２Ｇ，５１２Ｂが光変調装置に臨み、ファンから導入された冷却空気を光変調装置に導くダクト５００と、このダクト５００の他方の開口部５１２Ｒ，５１２Ｇ，５１２Ｂ近傍でかつ光変調装置の配置に応じて設けられ、光学装置と熱伝導可能に接続される熱伝導性材料からなる放熱部材５５とを備えている。【選択図】図５
2005345821.tif 000002
【特許請求の範囲】
【請求項１】
光源から射出された光束を画像情報に応じて変調して光学像を形成する光変調装置を有する光学装置と、外部から冷却空気を導入するファンとを備えたプロジェクタであって、
一方の開口部が前記ファンに対向配置され、他方の開口部が前記光変調装置に臨み、前記ファンから導入された冷却空気を前記光変調装置に導くダクトと、
このダクトの前記他方の開口部近傍でかつ前記光変調装置の配置に応じて設けられ、前記光学装置と熱伝導可能に接続される熱伝導性材料からなる放熱部材とを備えることを特徴とするプロジェクタ。
【請求項２】
請求項１に記載のプロジェクタにおいて、
前記放熱板は、前記ダクトの側面に沿って延出していることを特徴とするプロジェクタ。
【請求項３】
請求項１または請求項２に記載のプロジェクタにおいて、
前記光源から射出された光束を複数の色光に分離する色分離光学系を備え、
前記光学装置は、前記色分離光学系によって分離された色光ごとに変調して光学像を形成する複数の光変調装置と、これらの光変調装置と対向する複数の光束入射端面を有し、各光変調装置で形成された光学像を合成する色合成光学装置とを備え、
前記ダクトは、前記複数の光変調装置に応じて内部で分岐し、前記他方の開口部が前記各光変調装置にそれぞれ臨んでいることを特徴とするプロジェクタ。
【請求項４】
請求項３に記載のプロジェクタにおいて、
前記ダクトは、前記色合成光学装置の複数の光束入射端面と交差する一方の端面近傍に延出していることを特徴とするプロジェクタ。
【請求項５】
請求項１から請求項４のいずれかに記載のプロジェクタにおいて、
前記放熱部材には、前記ダクトの他方の開口部に応じた位置に孔が形成されていることを特徴とするプロジェクタ。
【請求項６】
請求項１から請求項５のいずれかに記載のプロジェクタにおいて、
前記光変調装置は、光変調を行う光変調素子と、この光変調素子と熱伝導可能な状態で該光変調素子の周縁を保持し、かつ前記冷却空気の流れに沿って延出する熱伝導性材料からなる保持枠とを備え、
前記放熱部材は、この保持枠に熱伝導可能に接続されていることを特徴とするプロジェクタ。
【請求項７】
請求項１から請求項６のいずれかに記載のプロジェクタにおいて、
前記光学装置は、前記光変調装置により変調された光束の光学変換を行う光学変換素子と、この光学変換素子と熱伝導可能な状態で該光学変換素子の周縁を保持し、かつ前記冷却空気の流れに沿って延出する熱伝導性材料からなる保持部材とを備え、
前記放熱部材は、この保持部材に熱伝導可能に接続されていることを特徴とするプロジェクタ。
【請求項８】
請求項６または請求項７に記載のプロジェクタにおいて、
前記保持枠および／または前記保持部材と前記放熱部材とは、可撓性および熱伝導性を有する接続部材によって接続されていることを特徴とするプロジェクタ。
【請求項９】
請求項６または請求項７に記載のプロジェクタにおいて、
前記保持枠および／または前記保持部材の前記放熱部材側の端部には、前記放熱部材に向かう力によって変形する変形部が形成され、
前記保持枠および／または前記保持部材は、前記変形部にて、前記放熱部材に付勢された状態で当接することを特徴とするプロジェクタ。
【発明の詳細な説明】
【技術分野】
【０００１】
本発明は、光源から射出された光束を画像情報に応じて変調して光学像を形成する光変調装置を有する光学装置と、外部から冷却空気を導入するファンとを備えたプロジェクタに関する。
【背景技術】
【０００２】
従来、光源から射出された光束を画像情報に応じて変調し、光学像を拡大投写するプロジェクタが利用されている。
具体的には、光源ランプから射出された光束を、ダイクロイックミラーを用いて赤、緑、青の三色の色光に分離する色分離光学系と、分離された光束を色光毎に画像情報に応じて変調する３枚の液晶パネル（光変調装置）および各液晶パネルで変調された光束を合成するクロスダイクロイックプリズム（色合成光学装置）を有する光学装置と、この光学装置によって形成されたカラー光学像をスクリーンに拡大投射する投写レンズとを備える三板式のプロジェクタ等が知られている。
一方、カラーフィルタを用いて、１枚の液晶パネルのみでカラー画像を形成する単板式のプロジェクタも知られている。
【０００３】
このようなプロジェクタは、会議、学会、展示会でのプレゼンテーション用途や、ホームシアター用途等、近年ますます利用が拡大しており、一層の小型化および高輝度化が促進されている。これに伴い、光学装置の液晶パネルや、偏光板、位相差板、各種フィルター等、その寿命が熱に大きく依存する各光学部品の高温度化も進んでおり、これらの長寿命化を図るために、光学装置をいかに冷却するかが以前にも増して重要課題となっている。
従来、この光学装置の冷却手段としては、ファンおよびダクトを備え、ファンから送出される空気をダクトによって光学装置に導入する空冷方式が採用されてきた。
【０００４】
一方、特許文献１のように、光源ランプや入射側偏光板等を熱伝導性が良好な金属製ケースで覆い、ランプや偏光板等で生じた熱をこのケースを介して放熱冷却することにより、冷却性能を向上させたものがある。
また、特許文献２のように、液晶パネルや偏光板等が含まれる光学装置をケースに収容し、このケースと、ファンと、プロジェクタ筐体の通気口近傍に設けられた中空部材とを、３つのホースにより接続して密閉循環系路を作り、この系路内に空気を循環させながら、中空部材およびホースの表面に形成された放熱フィンから放熱冷却を図るものがある。
さらに、特許文献３のように、液晶パネルやクロスダイクロイックプリズムを金属とガラスからなるケース内に液体冷媒と共に封入するとともに、このケースに複数のフィンが形成された放熱機と電子冷却素子とを設け、放熱機への送風と、電子冷却素子の作用とによって、光学装置を冷却するものもある。
【０００５】
【特許文献１】実開平７−２３３３０号公報（［０００９］［００１１］、図１）
【特許文献２】特開２００１−４２４３５号公報（［００１７］〜［００２０］、図３）
【特許文献３】特開平１０−２３９７７４号公報（［０００８］、図１）
【発明の開示】
【発明が解決しようとする課題】
【０００６】
しかしながら、特許文献１のような構成では、プロジェクタの小型化により、光源ランプおよび入射側偏光板を収容するケースの大きさにも制約があり、このケースは相当小さいものにならざるを得ない。したがって、このケースを介して光源ランプや偏光板等の熱を放熱させる程度では十分な冷却効果を得ることができず、近年のプロジェクタの高輝度化の要求に応えることができない。
一方、特許文献２のような構成では、中空部材や複数のホースなど部品点数が多いうえ、ケースにホースを接続して密閉空間とする構造の複雑さから、光学装置やプロジェクタを小型化するのが難しい。
また、特許文献３のような構成では、光学装置のケースに設けられた電子冷却素子や放熱機等、冷却専用の部材が使用され、コスト相応の十分な冷却性能が得られるとしても、これらの放熱機等を備えているぶん、やはり小型化が阻害されてしまう。
【０００７】
本発明の目的は、上記問題に鑑みて、小型化が阻害されることなく、光学装置を十分に冷却可能なプロジェクタを提供することにある。
【課題を解決するための手段】
【０００８】
本発明は、光源から射出された光束を画像情報に応じて変調して光学像を形成する光変調装置を有する光学装置と、外部から冷却空気を導入するファンとを備えたプロジェクタであって、一方の開口部が前記ファンに対向配置され、他方の開口部が前記光変調装置に臨み、前記ファンから導入された冷却空気を前記光変調装置に導くダクトと、
このダクトの前記他方の開口部近傍でかつ前記光変調装置の配置に応じて設けられ、前記光学装置と熱伝導可能に接続される熱伝導性材料からなる放熱部材とを備えていることを特徴とする。
【０００９】
ここで、ダクトとしては、合成樹脂材料による射出成形品等を採用できる。また、ファンの位置から光学装置までのダクトの延出方向は問わず、途中、曲がって向きが転換していてもよい。
また、放熱部材としては、アルミニウム、マグネシウム、チタン、銅、鉄、これらの合金、または熱伝導性樹脂等によって形成された板部材等が採用でき、放熱部材は、ダクトの光学装置側開口部の該開口が確保される位置に設けられている。
ファンとしては、シロッコファン、軸流ファンなど、各種のファンを採用できる。
【００１０】
この発明によれば、冷却空気がダクトを介して光学装置に送り込まれ、光学装置の冷却が図られるとともに、この光学装置の熱が放熱部材に伝導し、この放熱部材から外部へと放熱される。このとき、光学装置のヒートシンクとなる放熱部材がダクトの開口部から導出される空気に晒され、直接的に冷却されるため、空冷および放熱冷却が相乗的に行われ、光学装置が備える光変調装置及びその近傍の光学素子等を十分かつ効率的に冷却することができる。
さらに、放熱部材の位置や形状により、ダクトの開口部の大きさや位置、形状を変更可能であることにより、光学装置の温度や形状等を勘案して、ダクトから導出される空気の風圧や風量、風向き等を調整できる。例えば、放熱部材によってダクトの開口を絞れば、風速が増し、この開口近傍に配置された光学部品を重点的に冷却できる。反対に、ダクトの開口を広くすれば、広範囲を満遍なく冷却できる。
一方、空冷機構を構成するダクトに放熱機構を構成する放熱部材が設けられていることから、光学装置が組み込まれる機器において一定の範囲を占めるダクト以上のスペース負担が生じない。また、ダクトの上に光学装置を載置するなど、ダクトの配置を生かして光学装置を支持・保持することが可能となり、光学装置用の支持・保持部材等を別途用意する必要がなくなる。
したがって、小型化が阻害されることなく、十分な冷却性能を有するプロジェクタを提供できる。また、光学装置を低温化できるため、信頼性の向上にも繋げることができる。
【００１１】
なお、ダクトの光学装置に臨む開口部は、光変調装置の光変調が行われる画像形成領域面にほぼ沿った方向に向いていることが好ましい。
これにより、ダクトの開口部から導出された空気を画像形成領域面にほぼ沿った方向に吹き付け、画像形成領域全体を満遍なく冷却することが可能となり、光変調装置によって形成される光学像の色むらを防止できる。
【００１２】
本発明では、前記放熱板は、前記ダクトの側面に沿って延出していることが好ましい。
ここで、ダクトの光学装置側の開口部は、ダクトを筒状体とした場合の端面開口である場合も、ダクトの側面に形成された開口部である場合もあるが、いずれの場合も、放熱部材は、ダクトの開口部の該開口を確保しつつ、ダクトの側面に沿って延出している。
また、放熱部材を板状に形成したときには、ダクトの断面形状を矩形等とすれば、放熱部材をダクトの側面に沿って配設しやすくなる。
このような構成によれば、光学装置が組み込まれる機器において一定の範囲を占めるダクトの側面に沿って放熱部材の面積を大きく確保しやすく、放熱性能を容易に向上させることができる。
【００１３】
本発明では、前記光源から射出された光束を複数の色光に分離する色分離光学系を備え、前記光学装置は、前記色分離光学系によって分離された色光ごとに変調して光学像を形成する複数の光変調装置と、これらの光変調装置と対向する複数の光束入射端面を有し、各光変調装置で形成された光学像を合成する色合成光学装置とを備え、前記ダクトは、前記複数の光変調装置に応じて内部で分岐し、前記他方の開口部が前記各光変調装置にそれぞれ臨んでいることが好ましい。
【００１４】
ここで、色合成光学装置としては、クロスダイクロイックプリズム等を採用できる。
この発明によれば、上記発明と同様、空冷機構と放熱機構との相乗効果によって光学装置を効率的かつ十分に冷却することができるとともに、ダクトに放熱機構を設けたので、小型化が阻害されることがない。
これに加えて、ダクトの分岐により複数の光変調装置及びその近傍の光学素子等がそれぞれ冷却されるので、光変調装置ごとの温度差などに応じて、ダクトの開口部から吹き出す風量や風圧等を適宜変更することにより、各光変調装置等の温度を平均化し、かつ、十分に冷却することが可能となる。
また、冷却対象となりうる複数の光変調装置に応じてダクトが分岐する構成としたので、部品点数が増加しない。
【００１５】
本発明では、ダクトは、色合成光学装置の複数の光束入射端面と交差する一方の端面近傍に延出していることが好ましい。
ここで、色合成光学装置がクロスダイクロイックプリズムであり、その側面三方に光変調装置が配置されている場合、「複数の光束入射端面と交差する一方の端面」は、上下端面となり、この場合には、上下端面のうちいずれか一方の面の近傍に、複数のダクトが延出している。
このような構成により、ダクトの分岐に応じて光変調装置にそれぞれ臨むダクトの開口部の位置が揃い、ダクトによって導かれた空気がこれらの開口部からほぼ同じ方向に沿って流出するため、プロジェクタ内部での整流に寄与できる。
【００１６】
本発明では、前記放熱部材には、前記ダクトの他方の開口部に応じた位置に孔が形成されていることが好ましい。
この発明によれば、放熱部材の孔がダクトの他の開口部に対応し、この孔の形状、大きさ、位置を変更することによって、ダクトから導出される空気の風圧や風量、風向きを適切に設定できるとともに、孔の周縁がダクトから導出される空気に接触するので、光学装置のヒートシンクとなる放熱部材が十分に冷却される。
【００１７】
本発明では、前記光変調装置は、光変調を行う光変調素子と、この光変調素子と熱伝導可能な状態で該光変調素子の周縁を保持し、かつ前記冷却空気の流れに沿って延出する熱伝導性材料からなる保持枠とを備え、前記放熱部材は、この保持枠に熱伝導可能に接続されていることが好ましい。
この発明によれば、光の照射によって温度が上昇した光変調素子の熱が保持枠を介して迅速に放熱部材に伝導するとともに、保持枠が空気流に晒され、光変調素子の熱が直接伝導する保持枠が効率良く冷却される。これにより、光変調装置の長寿命化につなげることができる。
また、前記光学装置は、前記光変調装置により変調された光束の光学変換を行う光学変換素子と、この光学変換素子と熱伝導可能な状態で該光学変換素子の周縁を保持し、かつ前記冷却空気の流れに沿って延出する熱伝導性材料からなる保持部材とを備え、前記放熱部材は、この保持部材に熱伝導可能に接続されていることが好ましい。
ここで、光学変換素子としては、偏光板や視野角補正板、位相差板等を採用できる。
この発明によれば、光の吸収熱によって温度が上昇した光学変換素子の熱が保持部材を介して迅速に放熱部材に伝導するとともに、保持部材が空気流に晒され、光学変換素子の熱が直接伝導する保持部材が効率良く冷却される。これにより、光学変換素子の長寿命化につなげることができる。
【００１８】
本発明では、前記保持枠および／または前記保持部材と前記放熱部材とは、可撓性および熱伝導性を有する接続部材によって接続されていることが好ましい。
この発明によれば、接続部材によって放熱部材と光変調装置や光学変換素子との熱伝導的な接続が確実となり、光変調装置や光学変換素子を中心に、冷却効率をより一層向上させることができる。
【００１９】
本発明では、前記保持枠および／または前記保持部材の前記放熱部材側の端部には、前記放熱部材に向かう力によって変形する変形部が形成され、前記保持枠および／または前記保持部材は、前記変形部にて、前記放熱部材に付勢された状態で当接することが好ましい。
ここで、変形部としては、保持枠や保持部材と一体形成された板ばね部等を採用でき、このように一体形成することにより、部品点数が増加することもない。
この発明によれば、変形部により、上記の接続部材と同様、放熱部材と光変調装置や光学変換素子との熱伝導的な接続を確実として、光変調装置や光学変換素子を中心に、冷却効率をより一層向上させることができる。
【発明を実施するための最良の形態】
【００２０】
［第１実施形態］
以下、本発明の第１実施形態を図面に基づいて説明する。
〔１．プロジェクタの概略構成〕
図１は、本実施形態に係るプロジェクタ１の内部を上方から見た平面図である。
プロジェクタ１は、全体略直方体状で樹脂製の外装ケース２を備え、図１は、この外装ケース２のアッパーケース（上部ケース）が取り外され、さらに制御基板等も取り外された状態が示されている。
この外装ケース２の中には、プロジェクタ１の光学エンジンである光学ユニット４が、光源装置４１１から投写レンズ４６まで平面視Ｌ字状に配置されている。
この光学ユニット４において、光学部品４１〜４４は光学部品用筐体４７に収容され、図１に光学部品用筐体４７の内部を示すように、各光学部品４１〜４３は光学部品用筐体４７内側の溝４７１に保持されている。
【００２１】
ここで、本発明に係るプロジェクタ１は、３つのシロッコファン３１Ｒ，３１Ｇ，３１Ｂと、ダクト５００と、放熱板５５により光学装置４４を冷却対象とする冷却機構が構成されることを特徴としている。
ここで、ダクト５００の一方の端部は３つのダクト部５１Ｒ，５１Ｇ，５１Ｂに分岐し、これらのダクト部５１Ｒ，５１Ｇ，５１Ｂがシロッコファン３１Ｒ，３１Ｇ，３１Ｂにそれぞれ接続されており、シロッコファン３１Ｒ，３１Ｇ，３１Ｂにより外部から吸い込まれた空気がダクト部５１Ｒ，５１Ｇ，５１Ｂを通じて光学装置４４に導入されることによって、光学装置４４が冷却されている。
【００２２】
シロッコファン３１Ｒ，３１Ｇ，３１Ｂは、図示しない回転翼の回転軸が投写レンズ４６の光軸と平面視直交するように、ロアーケース２１に立設され、シロッコファン３１Ｒ，３１Ｇは、ロアーケース２１側面の吸気口２１１（図４）から空気を取り込み、シロッコファン３１Ｂは、ロアーケース２１の底面２１Ａに形成された吸気口２１２（図１）から空気を取り込むようになっている。
なお、外装ケース２のアッパーケース２２（図４）には、プロジェクタ１内部の空気を排出するための図示しない排気口が形成されている。
【００２３】
シロッコファン３１Ｒ，３１Ｇ，３１Ｂ、およびダクト部５１Ｒ，５１Ｇ，５１Ｂは、投写レンズ４６と位置が揃い、外装ケース２内に納まり良く配置されている。ダクト部５１Ｒ，５１Ｇ，５１Ｂは投写レンズ４６の鏡筒４６１に沿ってそれぞれ延出し、光学装置４４の下方で互いの端部が結合している。このダクト部５１Ｒ，５１Ｇ，５１Ｂの結合部分には、光学装置４４が鏡筒４６１の端部と向き合うように載置されている。
【００２４】
なお、プロジェクタ１は、上記以外に、図示しない制御基板や、光源装置４１１用の駆動回路・冷却装置、光学ユニット４やシロッコファン３１Ｒ，３１Ｇ，３１Ｂ等の駆動に必要な電源ユニット等も外装ケース２内に備えているが、説明、図示をともに省略する。
【００２５】
〔２．光学ユニットの構成〕
図２の模式図を参照して光学ユニット４の光学系を説明する。
光学ユニット４は、インテグレータ照明光学系４１、色分離光学系４２、リレー光学系４３、光学装置４４、および投写レンズ４６を備えている。
インテグレータ照明光学系４１は、光学装置４４を構成する３枚の光変調装置４４０（赤、緑、青の色光毎にそれぞれ光変調装置４４０Ｒ，４４０Ｇ，４４０Ｂと示す）の画像形成領域をほぼ均一に照明するための光学系であり、光源装置４１１と、第１レンズアレイ４１２と、第２レンズアレイ４１３と、偏光変換光学素子４１４と、重畳レンズ４１５とを備えている。
【００２６】
光源装置４１１は、放射状の光線を射出する光源である光源ランプ４１６と、この光源ランプ４１６から射出された放射光を反射する楕円リフレクタ４１７と、光源ランプ４１６から射出され楕円リフレクタ４１７により反射された光を平行光とする平行化凹レンズ４１１Ａとを備えている。
光源ランプ４１６としては、本実施形態においては、超高圧水銀ランプが使用されている。そして、平行化凹レンズ４１１Ａの平面部分には、図示しないＵＶフィルタが設けられている。
なお、楕円リフレクタ４１７および平行化凹レンズ４１１Ａの代わりに、放物面鏡を用いてもよい。
【００２７】
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、光変調装置４４０の画像形成領域の形状とほぼ相似形をなすように設定されている。
【００２８】
第２レンズアレイ４１３は、第１レンズアレイ４１２と略同様の構成を有しており、小レンズがマトリクス状に配列された構成を有している。この第２レンズアレイ４１３は、重畳レンズ４１５とともに、第１レンズアレイ４１２の各小レンズの像を光変調装置４４０上に結像させる機能を有している。
【００２９】
偏光変換光学素子４１４は、第２レンズアレイ４１３と重畳レンズ４１５との間に配置されるとともに、第２レンズアレイ４１３と一体にユニット化されている。このような偏光変換光学素子４１４は、第２レンズアレイ４１３からの光を１種類の偏光光に変換するものであり、これにより、光学装置４４での光の利用効率が高められている。
【００３０】
具体的に、偏光変換光学素子４１４によって１種類の偏光光に変換された各部分光は、重畳レンズ４１５によって最終的に光学装置４４の光変調装置４４０Ｒ，４４０Ｇ，４４０Ｂ上にほぼ重畳される。偏光光を変調するタイプの液晶パネルを用いたプロジェクタでは、１種類の偏光光しか利用できないため、ランダムな偏光光を発する光源ランプ４１６からの光のほぼ半分を利用することができない。
そこで、偏光変換光学素子４１４を用いることにより、光源ランプ４１６からの射出光をほぼ１種類の偏光光に変換し、光学装置４４での光の利用効率を高めている。なお、このような偏光変換光学素子４１４は、たとえば特開平８−３０４７３９号公報に紹介されている。
【００３１】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤、緑、青の３色の色光に分離する機能を有している。
【００３２】
リレー光学系４３は、入射側レンズ４３１、リレーレンズ４３３、および反射ミラー４３２、４３４を備え、色分離光学系４２で分離された色光、赤色光を光変調装置４４０Ｒまで導く機能を有している。
【００３３】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って青色用の光変調装置４４０Ｂに達する。このフィールドレンズ４１８は、第２レンズアレイ４１３から射出された各部分光束をその中心軸（主光線）に対して平行な光束に変換する。他の光変調装置４４０Ｇ、４４０Ｒの光入射側に設けられたフィールドレンズ４１８も同様である。
【００３４】
ダイクロイックミラー４２１を透過した赤色光と緑色光のうちで、緑色光はダイクロイックミラー４２２によって反射し、フィールドレンズ４１８を通って緑色用の光変調装置４４０Ｇに達する。一方、赤色光はダイクロイックミラー４２２を透過してリレー光学系４３を通り、さらにフィールドレンズ４１８を通って赤色光用の光変調装置４４０Ｒに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に引き継ぐためである。
なお、リレー光学系４３には、３つの色光のうち、赤色光を通す構成としたが、これに限らず、例えば、青色光を通す構成としてもよい。
【００３５】
光学装置４４は、色分離光学系４２で分離された各色光が入射される３つの入射側偏光板４４２と、各入射側偏光板４４２の後段に配置される光変調装置４４０Ｒ，４４０Ｇ，４４０Ｂと、各光変調装置４４０Ｒ，４４０Ｇ，４４０Ｂの後段に配置される射出側偏光板４４３と、色合成光学装置としてのクロスダイクロイックプリズム４４４とを備えている。これらの光学部品４４０，４４３，４４４は一体的に形成されて光学装置本体４５を構成する。
【００３６】
入射側偏光板４４２は、光学装置本体４５とは別体として構成される光学変換素子であり、色分離光学系４２で分離された各光束のうち、一定方向の偏光光のみ透過させ、その他の方向の光束を吸収するものである。
この入射側偏光板４４２は、ポリビニルアルコール（ＰＶＡ）のフィルムおよびアセテートセルロース系の矩形状のフィルムが積層された偏光膜と、この偏光膜が貼付されたサファイアガラス製の基板とを備えている。
【００３７】
〔３．光学装置本体の構成〕
図３には、光学装置本体４５が示されている。
光学装置本体４５は、クロスダイクロイックプリズム４４４と、このクロスダイクロイックプリズム４４４の複数の光束入射端面と直交する上方端面に固定される台座４４５と、この台座４４５に取り付けられる保持部材としての３つのホルダ４８０と、これらのホルダ４８０に取り付けられる光変調装置４４０Ｒ，４４０Ｇ，４４０Ｂとを備えて構成されている。
【００３８】
クロスダイクロイックプリズム４４４は、光変調装置４４０Ｒ，４４０Ｇ，４４０Ｂから射出され各色光毎に変調された画像を合成してカラー画像を形成するものであり、外観略立方体状の六面体である。クロスダイクロイックプリズム４４４には、赤色光を反射する誘電体多層膜と青色光を反射する誘電体多層膜とが、４つの直角プリズムの界面に沿って略Ｘ字状に形成され、これらの誘電体多層膜によって３つの色光が合成される。このクロスダイクロイックプリズム４４４で合成されたカラー画像は、投写レンズ４６（図２）から射出され、スクリーン上に拡大投写される。
【００３９】
台座４４５は、クロスダイクロイックプリズム４４４を保持するとともに、ホルダ４８０が接合され、熱伝導性を有するアルミニウムやマグネシウム等の合金製の部材である。この台座４４５は、クロスダイクロイックプリズム４４４の上方端面の形状に応じて形成され、四隅には、外側に向かって延びる腕部４４５Ａが形成されている。この腕部４４５Ａにより、光学装置本体４５は光学部品用筐体４７内面にねじ固定されるようになっている。
【００４０】
光変調装置４４０Ｒ，４４０Ｇ，４４０Ｂは、光変調素子としての液晶パネル４４１Ｒ，４４１Ｇ，４４１Ｂと、これらの液晶パネル４４１Ｒ，４４１Ｇ，４４１Ｂをそれぞれ保持し、熱伝導可能にするパネル保持枠４９０とを備え、全体略矩形板状に形成されている。
【００４１】
液晶パネル４４１Ｒ，４４１Ｇ，４４１Ｂは、具体的な図示を省略するが、ガラス製の駆動基板および対向基板と、これらの基板間に注入されるＴＮ（ツイステッドネマチック）型の液晶とを備え、入射側偏光板４４２を介して入射する光束を画像情報に応じて変調して射出する。
駆動基板の内側には、ＩＴＯ（Indium Tin Oxide）などの透明導電体からなる画素電極、各画素電極に対応するＴＦＴ素子などのスイッチング素子、配線、液晶分子を配列する配向膜などが設けられている。また、対向基板の内側面には、前記画素電極に対応する対向電極、駆動基板の配向膜とは向きが略直交する配向膜などが設けられている。これにより、アクティブマトリクス型の液晶パネルが構成されている。
また、これらの駆動基板と対向基板との間から、制御用ケーブル４４７が延出している。
【００４２】
パネル保持枠４９０は、液晶パネル４４１Ｒ，４４１Ｇ，４４１Ｂの画像形成領域に対応する矩形状の開口部４９１が形成され、液晶パネル４４１Ｒ，４４１Ｇ，４４１Ｂを熱伝導可能な状態で保持する矩形容器状の枠部材であり、マグネシウムやアルミニウム、チタン、これらを含有する合金等、熱伝導性が良好な材料から構成されている。
このパネル保持枠４９０の周縁部分には、孔４９２が形成され、また、上部表面には、放熱性を考慮してフィン４９３が形成されている。
【００４３】
ホルダ４８０は、クロスダイクロイックプリズム４４４の光束入射端面に沿って台座４４５に固定されており、下方の端部がクロスダイクロイックプリズム４４４の下端から突出している。
このホルダ４８０は、外側ホルダ４８１および内側ホルダ４８５の断面略Ｃ字のチャンネル状部材２体による構成となっている。これら外側ホルダ４８１および内側ホルダ４８５は、アルミニウム、マグネシウム、チタン、これらの合金等、熱伝導性が良好な材料により形成され、向かい合わせ且つ入れ子状に接着固定され、光学変換素子としての射出側偏光板４４３を射出側偏光板４４３と熱伝導可能な状態で保持している。このような外側ホルダ４８１および内側ホルダ４８５の構造により、ホルダ４８０全体の熱容量および熱伝導効率が向上している。
【００４４】
外側ホルダ４８１は、矩形平板状の基部４８２と、この基部４８２の左右両端から面外方向（光軸方向）に向かって起立する一対の起立片４８３とを備えている。
基部４８２には、光束透過用の矩形の開口が略中央に形成され、この基部４８２は、クロスダイクロイックプリズム４４４の光束入射端面に沿って、上端部が台座４４５に接着固定されている。
【００４５】
一方、内側ホルダ４８５は、開口部が形成された基部４８６と、一対の起立片４８７とを備え、起立片４８７の先端側は互いに接近する方向に曲折した折曲片４８８となっており、外側ホルダ４８１の内側に、互いの起立片４８７、４８３同士が重なるように配置されている。
基部４８６には、四隅に図示しない４つの雌ねじ穴がそれぞれ開いており、これらの雌ねじ穴に対し、パネル保持枠４９０の孔４９２を介して金属製のねじが挿通されることによって、パネル保持枠４９０は内側ホルダ４８５に交換可能に固定されている。
【００４６】
射出側偏光板４４３は、本実施形態では、入射側偏光板４４２と略同様の構成である第１偏光板（プリポラライザ）４４３Ｐ及び第２偏光板（アナライザ）４４３Ａから構成され、２枚とも、入射側偏光板４４２と偏光軸が直交するように配置されている。これは、射出側偏光板４４３の透過率を液晶パネル４４１Ｒ，４４１Ｇ，４４１Ｂの印加電圧に応じて変化させることによって光学像の色の階調特性を実現する関係上、射出側偏光板４４３は光の吸収熱によって温度が上昇しやすいことから、入射側偏光板４４２を経て入射する偏光光束を、第１偏光板４４３Ｐ、第２偏光板４４３Ａのそれぞれで分担して吸収することにより、光の吸収熱を両偏光板４４３Ｐ、４４３Ａで按分させ、それぞれの過熱を抑えるためである。
【００４７】
第１偏光板４４３Ｐおよび第２偏光板４４３Ａのホルダ４８０への取り付けには、シリコーン系の熱伝導性接着剤が用いられ、第１偏光板４４３Ｐは、内側ホルダ４８５の折曲片４８８の裏面側に接着され、第２偏光板４４３Ａは、外側ホルダ４８１の開口部の周りに接着されている。なお、これに限らず、折曲片４８８の表面側や、外側ホルダ４８１および内側ホルダ４８５の開口部の周囲（表面側・裏面側）等に接着したり、第１偏光板４４３Ｐおよび第２偏光板４４３Ａの保持用の突起などを形成したりしてもよい。これらの偏光板４４３Ｐ，４４３Ａはホルダ４８１，４８５ごと交換可能である。
また、偏光板４４３Ａ，４４３Ｂのほかに、視野角補正板、位相差板等の光学変換素子を外側ホルダ４８１および内側ホルダ４８５に取り付けることもできる。
【００４８】
〔４．ダクトおよび放熱板の構成〕
次に、光学装置４４を冷却する構成に関して、ダクト５００および放熱板５５を中心に説明する。
図４は、外装ケース２内に配置された光学装置本体４５、シロッコファン３１Ｒ，３１Ｇ，３１Ｂ、ダクト５００、放熱板５５等を、外装ケース２を切り欠いて示している。なお、この図４では、光学部品用筐体４７（図１）や、入射側偏光板４４２（図２）等の図示を省略している。また、図５は、ダクト５００の部分斜視図である。
本実施形態は、シロッコファン３１Ｒ，３１Ｇ，３１Ｂから吸い込んだ冷却空気をダクト部５１Ｒ，５１Ｇ，５１Ｂそれぞれに分岐したダクト５００を介して光学装置４４まで導いて冷却するものであり、放熱部材としての放熱板５５がダクト５００に設けられたことを特徴としている。
【００４９】
ここで、ダクト５００の分岐形状について、ダクト部５１Ｒ，５１Ｇ，５１Ｂは、液晶パネル４４１Ｒ，４４１Ｇ，４４１Ｂにそれぞれ入射する各色光の光路にそれぞれ対応しており、これら３つのダクト部５１Ｒ，５１Ｇ，５１Ｂは、シロッコファン３１Ｒ，３１Ｇ，３１Ｂが設けられている位置から各光変調装置４４０Ｒ，４４０Ｇ，４４０Ｂに臨む位置まで延び、図４および図５に示すように、クロスダイクロイックプリズム４４４（図３）の複数の光束入射端面と直交する下方端面近傍の分岐部５０１に揃えられた形状となっている。
このダクト５００は、各ダクト部５１Ｒ，５１Ｇ，５１Ｂの延出方向（空気流の方向）に沿って分割された２体構造の合成樹脂射出成形品であり、図５には、この２体のうち、放熱板５５が配設されたチャンネル形状の上側ダクト５００Ａが示されている。ダクト部５１Ｒ，５１Ｇ，５１Ｂの下半分を構成する図示しない下側ダクトは、上側ダクト５００Ａと略同様の全体形状であり、この下側ダクトと上側ダクト５００Ａとは、互いの合わせ面近傍に形成された固定部５００Ａ１でねじ止めされている。
【００５０】
ダクト部５１Ｒ，５１Ｇ，５１Ｂは、それぞれ断面矩形の略筒状体である。これらのダクト部５１Ｒ，５１Ｇ，５１Ｂは、一方の開口部である導入部５１１Ｒ，５１１Ｇ，５１１Ｂがシロッコファン３１Ｒ，３１Ｇ，３１Ｂの送出口にそれぞれ対向配置され、この導入部５１１Ｒ，５１１Ｇ，５１１Ｂから光学装置４４に対向する他方の開口部である導出部５１２Ｒ，５１２Ｇ，５１２Ｂにかけて、下側ダクト（図示省略）を構成する下半分はロアーケース２１の底面２１Ａ（図１）に沿って延び、上側ダクト５００Ａを構成する上半分は次第に縮径する形状となっている。また、ダクト部５１Ｒ，５１Ｇ，５１Ｂの各側面は分岐部５０１にて合わさり、分岐部５０１の表面は平面状となっている。
【００５１】
この分岐部５０１を平面的に見たとき、図５に示すように、ダクト部５１Ｒとダクト部５１Ｂとの端部が向き合い、また、ダクト部５１Ｇの端部はダクト部５１Ｒの端部と位置が揃えられた形状であり、これらのダクト部５１Ｒ，５１Ｇ，５１Ｂの各端部をたどるとＬ字状となっている。このＬ字状部分は、上側ダクト５００Ａにおいて、切り欠き５０２となっており、この切り欠き５０２のダクト部５１Ｒ側からダクト部５１Ｂ側にかけての周縁には、横向きに開口し、放熱板５５の周縁を保持する溝５０３が形成されている。
【００５２】
図６は、この溝５０３から放熱板５５を外した状態の上側ダクト５００Ａの分解斜視図である。分岐部５０１の内部において、各ダクト部５１Ｒ，５１Ｇ，５１Ｂによって導かれた空気の流れに直交して延びる仕切り５０４Ｒ，５０４Ｇ，５０４Ｂが、平面視格子状のリブ５０５を中心に配設されている。
リブ５０５は、分岐部５０１を補強しており、格子の中央部には、放熱板５５がねじ止めされる雌ねじ穴５０５Ａが形成されている。したがって、放熱板５５を溝５０３に差し込み、この雌ねじ穴５０５Ａにねじ止めすることにより、上側ダクト５００Ａを容易に組立可能である。
これらの仕切り５０４Ｒ，５０４Ｇ，５０４Ｂの存在により、各ダクト部５１Ｒ，５１Ｇ，５１Ｂ内部の空気が互いに混じり合わず、各ダクト部５１Ｒ，５１Ｇ，５１Ｂごとに、光変調装置４４０Ｒ，４４０Ｇ，４４０Ｂ等をそれぞれ確実に冷却できるようになっている。
【００５３】
この分岐部５０１内部には、導出部５１２Ｒ，５１２Ｇ，５１２Ｂ（図５）から吹き出す空気の風圧や風向きを調整するために、適宜、リブ等を形成することができる。
ここでは、導出部５１２Ｒに応じた位置に、空気の流れに沿って一対の整流板５０６が形成されることにより、導出部５１２Ｒの開口が絞られ、導出される風速が増すものとなっている。
なお、ダクト部５１Ｒ，５１Ｇ，５１Ｂの下半分を構成する図示しない下側ダクトについても、上側ダクト５００Ａと同様に、仕切り、リブ、整流板が形成されている。
【００５４】
放熱板５５は、図５および図６に示すように、切り欠き５０２を覆うように分岐部５０１に配置され、アルミニウム、マグネシウム、チタン、鉄、銅、これらの合金、或いは熱伝導性樹脂等、熱伝導性が良好な材料により、ここでは厚さ１ｍｍのＬ字状板としてプレス成形されている。
この放熱板５５には、ダクト部５１Ｒ，５１Ｇ，５１Ｂ内部と連通し、導出部５１２Ｒ，５１２Ｇ，５１２Ｂ（図４）を構成する３つの孔５５１Ｒ，５５１Ｇ，５５１Ｂが形成されている。各ダクト部５１Ｒ，５１Ｇ，５１Ｂに導かれた空気は、光学装置４４の位置で向きを変え、これらの孔５５１Ｒ，５５１Ｇ，５５１Ｂから液晶パネル４４１Ｒ，４４１Ｇ，４４１Ｂの画像形成領域面にほぼ沿った方向にそれぞれ導出される。これにより、液晶パネル４４１Ｒ，４４１Ｇ，４４１Ｂの画像形成領域面全体に空気が供給されるので、投写画像の色むらが生じない。
【００５５】
ここで、放熱板５５の孔５５１Ｒ，５５１Ｇ，５５１Ｂの形状や位置は、光変調装置４４０Ｒ，４４０Ｇ，４４０Ｂ（図４）や射出側偏光板４４３（図３）等の形状や温度などを考慮して、所望の風向き、風圧、風量となるように、適宜決められる。これにより、各光変調装置４４０Ｒ，４４０Ｇ，４４０Ｂの温度の平均化を図ることも可能となる。
例えば、孔５５１Ｇは、他の孔５５１Ｒ，５５１Ｂよりも空気流の方向での寸法が小さく形成されており、風圧および風速を上げて、光変調装置４４０Ｇに対して重点的に送風するものとなっている。また、この孔５５１Ｇは、光変調装置４４０Ｇと正対する位置よりもダクト部５１Ｇ内の空気流の風上側に位置をずらして形成されている。これは、ダクト部５１Ｇ内の空気はダクト部５１Ｇの延出方向に沿って横方向に流れているため、光変調装置４４０Ｇに対して風上側から斜めに送風すると、送風がスムーズとなって孔５５１Ｇでの風切り音も小さくなり、光変調装置４４０Ｇ全体に空気が供給されやすいためである。
一方、孔５５１Ｂは、他の孔５５１Ｒ，５５１Ｇよりも大きく形成され、光変調装置４４０Ｂ近傍、すなわち、光変調装置４４０Ｂ、入射側偏光板４４２、射出側偏光板４４３等に対して満遍なく送風するものとなっている。
【００５６】
そして、放熱板５５の孔５５１Ｒ，５５１Ｇ，５５１Ｂの形状等を含む放熱板５５自体の形状、また、放熱板５５の位置、大きさ、材質等についても、放熱性能を考慮の上、適宜決められる。ここで、放熱板５５は、切り欠き５０２を覆うようにダクト５００の側面に沿って設けられており、放熱板５５の面積をダクト５００の側面に沿って拡大しやすい。例えば、切り欠き５０２の外側に延出させて、放熱板５５の面積を広く取ることにより、放熱板５５の放熱性能を向上させることができる。
【００５７】
以上説明したダクト５００の分岐部５０１には、図４に示すように、光学装置本体４５が載置されている。よって、ロアーケース２１の底面２１Ａに配置されたダクト５００のレイアウトを生かして、光学装置本体４５がダクト５００に支持されることとなり、光学装置本体４５をロアーケース２１に支持する他の部材等を不要にできる。
光学装置本体４５は、具体的に、孔５５１Ｒ，５５１Ｇ，５５１Ｂによって囲まれた放熱板５５の略中央に載置され、この放熱板５５は、分岐部５０１内部のリブ５０５（図６）によって支持されている。なお、図４では、光学部品用筐体４７の図示が省略されているが、光学装置本体４５は、実際は光学部品用筐体４７（図１）を介して、ダクト５００に載置されている。そして、この光学部品用筐体４７には、放熱板５５の孔５５１Ｒ，５５１Ｇ，５５１Ｂに応じた位置に図示しない開口が形成されており、各ダクト部５１Ｒ，５１Ｇ，５１Ｂ内の空気が放熱板５５および光学部品用筐体４７を介して光学装置本体４５に供給されるようになっている。また、光学部品用筐体４７には、外装ケース２のアッパーケース２２の排気口（図示省略）に応じた開口も形成されており、この開口を通じて光学部品用筐体４７内部の空気が排出される。
【００５８】
光学装置本体４５と放熱板５５とは、クロスダイクロイックプリズム４４４の側面三方において、熱伝導性樹脂材料による接続部材としてのテープＴＰを介して、互いに熱伝導可能に接続されている。このテープＴＰは可撓性を有し、一方の端部が外側ホルダ４８１の起立片４８３（図３）の下方端部に接着され、Ｌ字状に折り曲げられて、他方の端部が放熱板５５の表面に接着されている。なお、このテープＴＰは、ホルダ４８０と放熱板５５との間のみならず、パネル保持枠４９０と放熱板５５との間を熱伝導可能に接続するものであってもよい。
【００５９】
次に、シロッコファン３１Ｒ，３１Ｇ，３１Ｂ、ダクト５００、および放熱板５５によって光学装置４４が冷却される作用について図２から図６を参照して説明する。
光学装置４４の入射側偏光板４４２、光変調装置４４０Ｒ，４４０Ｇ，４４０Ｇ、第１偏光板４４３Ｐ，第２偏光板４４３Ａ等（図２、３参照）は、入射光の照射を受けて温度が上昇する。特に、第１偏光板４４３Ｐおよび第２偏光板４４３Ａは、光の吸収によって非常に高熱となるが、その熱は、まずホルダ４８０に伝導し、このホルダ４８０からテープＴＰ（図４）を介して放熱板５５に伝導する。これにより、第１偏光板４４３Ｐ，第２偏光板４４３Ａで生じた熱は、放熱板５５に分散され、全体温度の均一化、低温化が図られる。なお、ホルダ４８０の熱は、台座４４５を介して光学部品用筐体４７（図１）にも伝導する。そして、放熱板５５や光学部品用筐体４７に伝導した熱は最終的に、外装ケース２を介して外部へと放出される。
また、液晶パネル４４１Ｒ，４４１Ｇ，４４１Ｂの熱についても、まずパネル保持枠４９０に伝導したのち、孔４９２に挿入されたねじを介してホルダ４８０に伝導し、さらに、射出側偏光板４４３で生じた熱と同様にホルダ４８０から放熱板５５に伝導し、外部へと放出される。
【００６０】
一方、シロッコファン３１Ｒ，３１Ｇ，３１Ｂから導入部５１１Ｒ，５１１Ｇ，５１１Ｂを介して各ダクト部５１Ｒ，５１Ｇ，５１Ｂにそれぞれ導入された空気は、導出部５１２Ｒ，５１２Ｇ，５１２Ｂから液晶パネル４４１Ｒ，４４１Ｇ，４４１Ｂの画像形成領域面にほぼ沿った方向に吹き出し、入射側偏光板４４２や光変調装置４４０Ｒ，４４０Ｇ，４４０Ｂ、射出側偏光板４４３等に供給されている。こうして、入射側偏光板４４２、光変調装置４４０Ｒ，４４０Ｇ，４４０Ｂ、射出側偏光板４４３等は、この空気に熱吸収されることで冷却されるとともに、熱吸収により温められた空気は、光学部品用筐体４７の開口および外装ケース２のアッパーケース２２（図４）の開口（ともに図示省略）を通じて排出される。
ここで、導出部５１２Ｒ，５１２Ｇ，５１２Ｂから空気が導出される際、図５および図６からもわかるように、この空気流は放熱板５５の孔５５１Ｒ，５５１Ｇ，５５１Ｂを通過するとともに、孔５５１Ｒ，５５１Ｇ，５５１Ｂの周縁に接触するので、放熱板５５はこの空気流に晒されることになる。すなわち、光学装置４４のヒートシンクとなる放熱板５５が、外部空気によって直接的に冷却されることになる。このように、光学装置４４の冷却は、空冷と放熱冷却とが相乗的に作用することによって効率的に行われるため、液晶パネル４４１Ｒ，４４１Ｇ，４４１Ｂや射出側偏光板４４３等の長寿命化につなげることができる。
他方、光学装置４４への送風に必須の構成となるダクト部５１Ｒ，５１Ｇ，５１Ｂが放熱板５５を有することにより、ダクト部５１Ｒ，５１Ｇ，５１Ｂ以上のスペースが不要となるので、小型化が阻害されることもない。
【００６１】
ここで、本実施形態において、次の条件を設定した試験例を以下に示す。
（条件１）
テープＴＰによって放熱板５５をホルダ４８０に接続した（前述した構成と同様）。
（条件２）
テープＴＰを使用しない。
【００６２】
〔試験例〕
プロジェクタ１を作動させて、液晶パネル４４１Ｇに対向する第１偏光板４４３Ｐおよび第２偏光板４４３Ａの各温度を上記の条件１、条件２ごとに測定した。なお、ダクト５００による光学装置４４への送風は、条件１、２の場合とも行われている。
〔結果〕
【００６３】
【表１】
2005345821.tif 000003
【００６４】
表１に示されるように、第１偏光板４４３Ｐおよび第２偏光板４４３Ａともに、条件１よりも条件２の方が低温化が図られており、その温度差は２℃前後である。この試験結果から、ダクト５００による送風に放熱板５５の放熱が加わることにより、光学装置４４についての冷却性能が向上することが確認された。
【００６５】
［第２実施形態］
次に、本発明の第２実施形態について説明する。
なお、以下の説明では、既に説明した実施形態と同様の構成については、同一符号を付して、説明を省略もしくは簡略化する。
第１実施形態では、テープＴＰの使用により、放熱板５５はホルダ４８０に熱伝導可能に接続されていた（図４）。
これに対し、第２実施形態では、テープＴＰを使用する代わりにホルダ４８０が変形部を有する点が相違する。以下、具体的に説明する。
【００６６】
図７には、外装ケース２内に配置された本実施形態の光学装置本体７５等が示されている。尚、この図７では、光学部品用筐体４７（図１）や、入射側偏光板４４２（図２）等の図示を省略している。
また、図８には、光学装置本体７５が示されている。この光学装置本体７５は、前記実施形態の光学装置本体４５とは、外側ホルダ７８１の形状が異なっている。すなわち、外側ホルダ７８１の起立片７８３の下端部は、変形部として、放熱板５５に延びる断面略く字状の板ばね部７８３Ａとなっており、この板ばね部７８３Ａには、そのく字形状の下端からさらに、放熱板５５（図７）の表面と略平行に延出する接地部７８３Ｂが形成されている。この接地部７８３Ｂは、光学装置本体７５が前記実施形態と同様のダクト５００に載置されると、図示しない光学部品用筐体４７の開口から突出し、放熱板５５に当接する。ここで、光学装置本体７５の自重により、板ばね部７８３Ａは圧縮され、接地部７８３Ｂが放熱板５５に対して付勢された状態で当接するため、この板ばね部７８３Ａを介し、放熱板５５が光学装置本体７５に熱伝導可能に確実に接続される。ここで、この板ばね部７８３Ａは、外側ホルダ７８１と一体形成されているため、部品点数を増加させずに、放熱板５５と光学装置本体７５との熱伝導が図られることになる。
【００６７】
本実施形態において、シロッコファン３１Ｒ，３１Ｇ，３１Ｂ、ダクト５００および放熱板５５による光学装置４４（図２）の冷却作用および効果は、前記実施形態とほぼ同様である。すなわち、ダクト５００を介した空冷と、ホルダ４８０の板ばね部７８３Ａを介した放熱板５５による放熱冷却の２系統により、光学装置４４は十分に、かつ、効率的に冷却されるとともに、ダクト５００に放熱板５５を設けたことにより、小型化が阻害されることもない。
【００６８】
本発明は、前述の各実施形態に限定されるものではなく、以下に示すような改良および変形をも含むものである。
ダクト、放熱板の形状、位置、数等は、前記各実施形態に限定されない。
本発明において、光学装置の冷却に関する最小構成は、ファン、１つのダクトおよび放熱板である。このように１つのダクトを備える構成により、１つの光変調装置が用いられる単板式の光学装置についても本発明の構成を適用できる。ただし、光変調装置の数にダクトの数が対応していなくてもよく、１つのダクトを備える構成により、前記実施形態のように３つの光変調装置を備える三板式の光学装置や、２つの光変調装置あるいは４つ以上の光変調装置を備える光学装置を冷却する構成とすることができる。また、複数のダクトから１つの光変調装置に対して導風する構成でもよい。
なお、前記各実施形態において、ダクト５００がダクト部５１Ｒ，５１Ｇ，５１Ｂに分岐していたが、各ダクト部５１Ｒ，５１Ｇ，５１Ｂをそれぞれ独立のダクトとすることもできる。
【００６９】
そして、ダクトの一方の開口部が対向するファンは、前記実施形態では、各ダクト部５１Ｒ，５１Ｇ，５１Ｂごとに１つのシロッコファン３１Ｒ，３１Ｇ，３１Ｂが設けられていたが、これに限らず、例えば、１つのファンから複数のダクトに送風する構成としてもよい。その反対に、２つ以上のファンから１つのダクトに送風してもよい。なお、ファンの径方向のかさばりを抑えるという点では、複数のファンを用いるのが好ましい。
なお、ファンの種類はシロッコファンに限定されず、軸流ファン等も採用できる。
【００７０】
なお、本発明は、光学装置が光変調装置以外に偏光板や視野角補正板、位相差板等の光学変換素子、カラーフィルタ等を備えている場合は、これらの光学変換素子も冷却対象とするものである。したがって、これらの冷却対象の形態に応じて、適宜、外部空気の導入による強制冷却、および、放熱板による放熱を図る構成とすればよい。
【００７１】
前記実施形態では、ダクト５００に光学装置本体４５が載置されていたが、このような構成には限定されない。例えば、前記実施形態において、光学装置４４よりもダクト５００が上方に配置され、導出部５１２Ｒ，５１２Ｇ，５１２Ｂを通じて光学装置４４に対して空気流が吹き降ろしていてもよい。
また、ダクトと光学装置とをこのように上下に重ねて配置せずに、これらダクトと光学装置とを横並びに配置し、光変調装置の画像形成領域面に沿って、横から空気を導入することもできる。
【００７２】
また、光変調素子のタイプは前記実施形態に限定されず、光変調素子としてマイクロデバイスミラー等も採用できる。
さらに、前記実施形態のように透明電極を使用する透過方式の光変調素子以外にも、反射電極を使用する反射方式の光変調素子についても採用できる。
【００７３】
そして、本発明は、前記各記実施形態のようなスクリーンを観察する方向から投写を行なうフロントタイプのプロジェクタ１のほかに、スクリーンの観察方向の後ろ側から投写を行なうリアタイプのプロジェクタにも適用できる。
【産業上の利用可能性】
【００７４】
本発明は、その優れた冷却性能により、高輝度化および小型化が求められるプレゼンテーション用途やホームシアター用途の各種のプロジェクタとして広く利用することができる。
【図面の簡単な説明】
【００７５】
【図１】第１実施形態におけるプロジェクタの概略構成を示す平面図。
【図２】前記実施形態における光学ユニットの模式図。
【図３】前記実施形態における光学装置本体の斜視図。
【図４】前記実施形態における光学装置本体、ファン、ダクトおよび放熱板の斜視図。
【図５】前記実施形態におけるダクトおよび放熱板の部分斜視図。
【図６】図５の分解斜視図。
【図７】第２実施形態における光学装置本体、ファン、ダクトおよび放熱板の斜視図。
【図８】前記実施形態における光学装置本体の斜視図。
【符号の説明】
【００７６】
１…プロジェクタ、３１Ｒ，３１Ｇ，３１Ｂ…シロッコファン（ファン）、４４…光学装置、４５，７５…光学装置本体、５１Ｒ，５１Ｇ，５１Ｂ…ダクト部、５５…放熱板（放熱部材）、４４０Ｒ，４４０Ｇ，４４０Ｂ…光変調装置、４４１Ｒ，４４１Ｇ，４４１Ｂ…液晶パネル（光変調素子）、４４２…入射側偏光板（光学変換素子）、４４３…射出側偏光板（光学変換素子）、４４４…クロスダイクロイックプリズム（色合成光学装置）、４８０…ホルダ（保持部材）、４８１，７８１…外側ホルダ、４８５…内側ホルダ、４９０…パネル保持枠（保持枠）、５００…ダクト、５０１…分岐部、５１１Ｒ，５１１Ｇ，５１１Ｂ…導入部（一方の開口部）、５１２Ｒ，５１２Ｇ，５１２Ｂ…導出部（他の開口部）、５５１Ｒ，５５１Ｇ，５５１Ｂ…孔、７８３Ａ…板ばね部（変形部）、ＴＰ…テープ（接続部材）。
【図１】
2005345821.tif 000004
【図２】
2005345821.tif 000005
【図３】
2005345821.tif 000006
【図４】
2005345821.tif 000007
【図５】
2005345821.tif 000008
【図６】
2005345821.tif 000009
【図７】
2005345821.tif 000010
【図８】
2005345821.tif 000011